(57)【要約】【課題】  まだ対応操作が行われていない警報を優先的、選択的に表示できるようにすることで、大量に発生した警報のなかからオペレータが対応すべき警報を効率よく告知するプラント監視装置を得る。【解決手段】  プロセス入力装置２からプロセス値が入力され、この入力されたプロセス値が警報状態にあるとき、警報メッセージデータ８をプロセス入力処理部４により生成し、この生成された警報メッセージデータ８を元にして、警報メッセージ表示処理部９により警報メッセージを表示装置３に表示させ、これを元にしてオペレータが対応操作を行い、対応操作ずみの警報については、操作ボタンを操作して、対応操作ずみを対応操作実施通知処理部１０に伝え、この対応操作実施通知処理部１０から対応操作実施フラグ１１を対応操作ずみにし、この対応操作実施フラグ１１を、警報メッセージの表示に反映する。【選択図】図１ 
2005293421.tif 000002
【特許請求の範囲】
【請求項１】
プラントの入力点からのプロセス値が入力され、この入力されたプロセス値に応じて警報メッセージデータを生成するプロセス入力処理部、このプロセス入力処理部により生成された警報メッセージデータを元にして、警報メッセージの表示処理を行う警報メッセージ表示処理部、上記警報メッセージに対する対応操作の実施状態を格納した対応操作実施フラグ、及び上記警報メッセージ表示処理部により表示された上記警報メッセージに対する対応操作実施の通知を受けて上記対応操作実施フラグを実施ずみにセットする対応操作実施通知処理部を備え、上記警報メッセージ表示処理部は、上記対応操作実施フラグの状態を上記警報メッセージの表示に反映させることを特徴とするプラント監視装置。
【請求項２】
上記警報メッセージ表示処理部は、上記対応操作実施フラグを参照して、対応操作が実施されていない警報メッセージのみを表示することを特徴とする請求項１記載のプラント監視装置。
【請求項３】
上記警報メッセージ表示処理部は、複数の警報メッセージに対して同じ対応操作で対応する場合には、上記複数の警報メッセージの内の一つのみを表示することを特徴とする請求項２記載のプラント監視装置。
【請求項４】
上記プロセス入力処理部は、複数の警報メッセージに対して同じ対応操作で対応する場合に、上記複数の警報メッセージを優先的に生成することを特徴とする請求項１または請求項２記載のプラント監視装置。
【請求項５】
プラント状態により警報メッセージに対する対応操作の完了したことを判定する完了条件を設定した対応操作完了条件テーブル、及びこの対応操作完了条件テーブルに基づき、上記プラントの状態が上記完了条件に合致したことを判定する対応操作完了判定処理部を備え、上記対応操作完了判定処理部により上記警報メッセージに対する対応操作の完了が判定されたとき、上記対応操作実施フラグを実施ずみにすることを特徴とする請求項１〜請求項４のいずれかに記載のプラント監視装置。
【請求項６】
上記対応操作完了条件テーブルには、上記警報メッセージに対する対応操作が実施されてから上記プラントの状態が完了条件に合致するまでの経過時間が格納され、上記対応操作完了判定処理部は、上記対応操作が実施されてから上記対応操作完了条件テーブルの経過時間が経過しても上記プラントの状態が上記完了条件に合致しない場合には、上記対応操作実施フラグを未実施とすることを特徴とする請求項５記載のプラント監視装置。
【請求項７】
上記警報メッセージが表示される画面にガイダンスボタンを設け、このガイダンスボタンが操作されることにより、警報メッセージに対する対応操作がガイダンスされることを特徴とする請求項１〜請求項６のいずれかに記載のプラント監視装置。
【請求項８】
上記警報メッセージに対する対応操作のガイダンスにあたり、上記警報メッセージに対するプラントの入力点の点番号を表示することを特徴とする請求項７記載のプラント監視装置。
【請求項９】
上記警報メッセージをソートする警報メッセージソート部を備え、上記警報メッセージ表示処理部は、上記警報メッセージソート部による警報メッセージのソートにより、上記入力点毎に警報発生から対応操作されるまでの時間を定めた標準処理時間の短い警報メッセージのみを表示するようにしたことを特徴とする請求項１〜請求項８のいずれかに記載のプラント監視装置。
【請求項１０】
上記プロセス入力処理部は、警報発生からの経過時間が、上記標準処理時間を超えた警報メッセージデータのみを生成することを特徴とする請求項９記載のプラント監視装置。
【発明の詳細な説明】
【技術分野】
【０００１】
この発明は、プラントの警報状態を警報メッセージとして出力するプラント監視装置に関するものである。
【背景技術】
【０００２】
従来のプラント監視装置では、プラントで警報状態が発生しているかどうかを判定するために、計測値と予め設定した警報値とを比較し、警報域であれば警報メッセージを出力し、オペレータへ対応操作を促すというものであるが、近年監視すべき警報点が膨大になり、一度に大量に警報が発生した場合には、オペレータの対応操作が遅れ、最悪の場合には、設備の破損に至るなどプラント運転に支障を来たすようになってきている。そのため、予め個々の警報要因をプラントの設備・系統毎に分類し、重要度を設定しておき、重要度別に警報メッセージをオペレータに通知する手段が設けられ、重要度の高い警報から対応操作を実施できるようになっている。（特許文献１参照）
【０００３】
オペレータは、出力された警報メッセージに対する対応操作を行うことになり、その結果、プロセス量が警報制限内に収まれば、警報復帰となり、警報状態テーブル及び警報メッセージデータから該当の情報が消去される。
【０００４】
【特許文献１】特開２００１−１１７６３０号公報（第８〜１０頁、図１）
【発明の開示】
【発明が解決しようとする課題】
【０００５】
従来のプラント監視装置では、重要度別での表示はされてはいるが、下記の問題点があった。
オペレータは、重要度の高い警報から対応操作を行うが、大量に警報が発生した場合には、表示装置の画面領域の制約から重要警報だけでも数十ページに渡る場合もあり、すでに対応操作を実施しているが、警報復帰していないがために混在して表示されるという問題があった。
また、警報要因によっては対応操作が同じものもあるが、警報メッセージの出力が系統や重要度での区分であるため、同一の対応操作の警報が複数出力することになり、この場合は、代表して出力させる方が、オペレータにとって、より迅速な対応操作が可能となる。
【０００６】
この発明は、上述のような課題を解決するためになされたものであり、まだ対応操作が行われていない警報を優先的、選択的に表示できるようにすることで、大量に発生した警報のなかからオペレータが対応すべき警報を効率よく告知するプラント監視装置を得ることを目的にしている。
【課題を解決するための手段】
【０００７】
この発明に係わるプラント監視装置においては、プラントの入力点からのプロセス値が入力され、この入力されたプロセス値に応じて警報メッセージデータを生成するプロセス入力処理部、このプロセス入力処理部により生成された警報メッセージデータを元にして、警報メッセージの表示処理を行う警報メッセージ表示処理部、警報メッセージに対する対応操作の実施状態を格納した対応操作実施フラグ、及び警報メッセージ表示処理部により表示された警報メッセージに対する対応操作実施の通知を受けて対応操作実施フラグを実施ずみにセットする対応操作実施通知処理部を備え、警報メッセージ表示処理部は、対応操作実施フラグの状態を警報メッセージの表示に反映させるものである。
【発明の効果】
【０００８】
この発明は、以上説明したように、プラントの入力点からのプロセス値が入力され、この入力されたプロセス値に応じて警報メッセージデータを生成するプロセス入力処理部、このプロセス入力処理部により生成された警報メッセージデータを元にして、警報メッセージの表示処理を行う警報メッセージ表示処理部、警報メッセージに対する対応操作の実施状態を格納した対応操作実施フラグ、及び警報メッセージ表示処理部により表示された警報メッセージに対する対応操作実施の通知を受けて対応操作実施フラグを実施ずみにセットする対応操作実施通知処理部を備え、警報メッセージ表示処理部は、対応操作実施フラグの状態を警報メッセージの表示に反映させるので、対応操作の必要な警報メッセージの識別が可能となり、オペレータの対応操作遅れがなくなる。
【発明を実施するための最良の形態】
【０００９】
実施の形態１．
図１は、この発明の実施の形態１によるプラント監視装置を示す構成図である。
図１において、プラント監視装置１は、プラント入力装置２を介して、プラントの入力点からプロセス値が入力され、そのプロセス値が警報状態であるときは、表示装置３に警報メッセージを出力する。このプラント監視装置１は、次のように構成されている。
プロセス入力処理部４には、プロセス入力装置２を介してプラントの入力点からのプロセス値が入力される。入力点情報テーブル５には、入力点毎の点番号、入力点名称、工学レンジ、単位、警報有無の情報が格納されている。警報制限テーブル６には、入力点毎の点番号、警報制限値、系統、重要度が格納されている。警報状態テーブル７には、点番号と警報状態が格納されている。警報メッセージデータ８は、プロセス入力処理部４により生成される。警報メッセージ表示処理部９は、表示装置３へ警報メッセージを表示する。オペレータが対応操作し、警報メッセージ毎に対応操作完了時に、警報メッセージの表示画面の操作ボタン３０を押すことにより、対応操作実施通知処理部１０は、対応操作実施の通知を受ける。対応操作実施フラグ１１は、その通知により、オペレータが警報メッセージへの対応操作を行ったかどうかの情報を格納する。
警報メッセージ表示処理部９は、この対応操作実施フラグ１１を参照して、警報メッセージの表示処理を行う。
【００１０】
次に、動作について説明する。
プロセス入力処理部４は、プロセス入力装置２を介してプラントからのプロセス値を入力し、入力点情報テーブル５に格納された工学値レンジにより、工学値変換すると共に、警報有無が有の場合には、警報制限テーブル６の警報制限値との比較を行い、この比較結果、変換されたプロセス値が警報制限値を逸脱している場合には、入力点情報テーブル５に格納された点番号、入力点名称、警報制限値及び現在値からなる警報メッセージデータ８を作成し、その入力点に対応する警報状態テーブル７を警報中とする。
警報メッセージ表示処理部９は、表示装置３へ警報メッセージを表示する。オペレータは、警報に対する対応操作を行い、その結果、プロセス値が警報制限内に収まれば、警報復帰となり、警報状態テーブル７及び警報メッセージデータ８から該当の情報が消去される。
オペレータにより、警報に対する対応操作を実施した場合には、表示装置３に表示された警報メッセージに付加された操作ボタン３０を押下することにより、対応操作実施通知処理部１０を経由して、その情報が伝達され、この情報を元にして、対応操作実施フラグ１１が１とされる。警報メッセージ表示処理部９は、対応操作実施フラグ１１を参照して、対応操作実施済みかどうかを警報メッセージ画面のボタン色を色がえするようにして、区分表示する。
【００１１】
実施の形態１によれば、プラントの状況の変化により、時々刻々と変化する表示装置３の警報メッセージの中から、その時点での対応操作の必要な最重要警報の識別が可能となり、オペレータの対応操作遅れがなくなり、このため、安定したプラント監視運転が可能となる。
【００１２】
実施の形態２．
図２は、この発明の実施の形態２によるプラント監視装置の警報メッセージ表示処理部の処理を示すフローチャートである。
実施の形態２のプラント監視装置では、警報メッセージ表示処理部９において、図２に示す処理フローによって、対応操作が実施されていない警報のみを抽出し、出力する。
【００１３】
次に、図２を用いて、警報メッセージ表示処理部の処理について説明する。
まず、対応操作未実施の警報メッセージ表示要求かどうかを判定する（ステップＳ１）。対応操作未実施の警報メッセージ表示要求の場合は、対応操作実施フラグが０の警報メッセージを抽出する（ステップＳ２）。対応操作未実施の警報メッセージ表示要求でない場合は、警報中の警報メッセージを抽出する（ステップＳ３）。警報メッセージを表示する（ステップＳ４）。
【００１４】
実施の形態２によれば、これにより、対応操作未実施の警報のみを選択表示でき、オペレータの対応操作遅れを防止する効果がある。
【００１５】
実施の形態３．
図３は、この発明の実施の形態３によるプラント監視装置を示す構成図である。
図３において、１〜１１、３０は図１におけるものと同一のものである。図３では、入力点情報テーブル５に、警報発生時にとるべき対応操作を番号付けした対応操作ＩＤを格納することができる。
図４は、この発明の実施の形態３によるプラント監視装置の警報メッセージ表示処理部の処理を示すフローチャートである。
【００１６】
実施の形態３のプラント監視装置１では、入力点情報テーブル５に警報発生時にとるべき対応操作を番号付けした対応操作ＩＤを格納することができるようにしたものである。
警報メッセージ表示処理部９において、図４に示すフローにより、発生中の警報メッセージデータから、入力点情報テーブル５に格納された対応操作ＩＤが、同一である警報は、１個のみの選択出力とする。
【００１７】
次に、図４を用いて実施の形態３の警報メッセージ表示処理部の処理について説明する。
まず、入力点情報テーブル５に格納された対応操作ＩＤが、同一かどうかを判定する（ステップＳ１１）。同一でなければ、警報中の警報メッセージを抽出する（ステップＳ１２）。ステップＳ１１で同一の場合及びステップＳ１２の終了後に、警報メッセージを表示する（ステップＳ１３）。
【００１８】
実施の形態３によれば、これにより、対応操作が異なる警報のみを出力することができる。
【００１９】
実施の形態４．
図５は、この発明の実施の形態４によるプラント監視装置を示す構成図である。
図５において、１〜１１、３０は図３におけるものと同一のものである。対応操作実施判定処理部１２は、対応操作完了条件テーブル１３に格納された対応操作完了条件を自動的に判定する。
【００２０】
実施の形態４のプラント監視装置１では、対応操作完了条件テーブル１３に格納された条件を自動的に判定する対応操作実施判定処理部１２により、オペレータによる対応操作が行われたかどうかを判定し、対応操作が行われていれば、対応操作実施フラグ１１を１とする。
【００２１】
実施の形態４によれば、これにより、オペレータよる対応操作完了の通知忘れを防止することができる。
【００２２】
実施の形態５．
図６は、この発明の実施の形態５によるプラント監視装置を示す構成図である。
図６において、１〜１３、３０は図５におけるものと同一のものである。対応操作完了条件テーブル１３には、対応操作からの経過時間が格納されている。
【００２３】
実施の形態５のプラント監視装置１では、対応操作完了判定処理部１２により、対応操作完了条件テーブル１３の対応操作完了条件に基づき、対応操作完了と判定された時点から、対応操作完了条件テーブル１３に格納された、対応操作からの経過時間を監視し、この経過時間が経過した後でも、警報復帰していない場合には、対応操作実施フラグ１１を０とし、対応操作未実施の状態に戻すものである。
【００２４】
実施の形態５によれば、これにより対応操作を実施した場合でも警報復帰しない場合には、再度、重要度を高くし、オペレータへの対応操作を促すものである。
【００２５】
実施の形態６．
図７は、この発明の実施の形態６によるプラント監視装置を示す構成図である。
図７において、１〜１３、３０は図６におけるものと同一のものである。入力点情報テーブル５に操作ガイダンスのエリアを設け、警報メッセージ表示画面にガイダンスボタン３１を設けている。このガイダンスボタン３１を押すと操作ガイダンステーブル１４の内容に従った対応操作をガイダンスする。
【００２６】
実施の形態６のプラント監視装置１では、表示装置３に表示される警報メッセージ表示の中にガイダンスボタン３１を設け、操作不明時などにガイダンスボタン３１を押すことにより、警報メッセージ表示処理部９は、図７の操作ガイダンステーブル１４に従った対応操作を表示させるようにした。
この機能のため、入力点情報テーブル５には、警報に該当する入力点に操作ガイダンス番号を格納するエリアを設けている。また、操作ガイダンスは、１つの操作のみ実行が必要な場合と、複数の操作の実行が必要な場合との両方のケースでも対応可能である。
【００２７】
実施の形態６によれば、これにより警報から該当の対応操作を容易に表示することができ、プラントの異常発生時に直ぐに対応可能である。
【００２８】
実施の形態７．
図８は、この発明の実施の形態７によるプラント監視装置を示す構成図である。
図８において、１〜１３、３０、３１は図７におけるものと同一のものである。図８では、操作ガイダンステーブルに対応操作に該当する点番号を設けている。
実施の形態７のプラント監視装置１では、実施の形態６に示した機能に加えて、操作ガイダンステーブルに対応操作に該当する点番号を格納し、対応操作を表示する場合に操作に該当する点番号を同時に表示させるようにした。
【００２９】
実施の形態７によれば、これにより、直接点番号をインプットし、即座に対応操作を表示することができ、点番号と対応操作名称を同時に確認することができ、このためケアレスミスが減り、且つ、対応操作呼び出し時間の短縮が図れる。
【００３０】
実施の形態８．
図９は、この発明の実施の形態８によるプラント監視装置を示す構成図である。
図９において、１〜１１、３０は図１におけるものと同一のものである。警報メッセージソート部１５が設けられている。入力点情報テーブル５には、入力点毎に、警報が出てから対応操作されるまでの標準時間を定めた標準処理時間のエリアが設けられている。
【００３１】
実施の形態８のプラント監視装置１では、警報メッセージをソートする警報メッセージソート部１５を設け、また、入力点情報テーブル５には、入力点毎に、警報が出てから対応操作されるまでの標準時間を定めた標準処理時間のエリアを設ける。警報メッセージソート部１５では、現在出ている警報の中で、標準処理時間の短い警報を緊急度の高い警報として位置付け、警報メッセージソート機能により、例えば、警報の中で標準処理時間が０．５時間のもののみソートして表示することが可能である。
【００３２】
実施の形態８によれば、これにより、標準処理時間が短い、すなわち、緊急度の高い警報メッセージのみ表示することが可能となる。
【００３３】
実施の形態９．
図１０は、この発明の実施の形態９によるプラント監視装置を示す構成図である。
図１０において、１〜１１、１５、３０は図９におけるものと同一のものである。図１０では、入力点情報テーブル５に警報発生後の経過時間を示すエリアを設けている。
【００３４】
実施の形態９のプラント監視装置１では、実施の形態８に示した機能に加えて、入力点情報テーブル５に警報発生後の経過時間を示すエリアを設ける。プロセス入力処理部４は、警報発生後の経過時間が標準処理時間を超えた場合は、処理が滞っていることが考えられるため、警報の中で標準処理時間を超えた警報メッセージのみを緊急度の高い警報メッセージデータとして出力し、表示されるようにする。
【００３５】
実施の形態９によれば、これにより、複数の警報メッセージが出たとしても処理する優先度情報をユーザに提供することが可能となる。
【００３６】
実施の形態１０．
図１１は、この発明の実施の形態１０によるプラント監視装置を示す構成図である。
図１１において、１〜１３、３０、３１は図８におけるものと同一のものである。図１１では、入力点情報テーブル５で、４つの警報メッセージが出ていることを示している。
【００３７】
実施の形態１０のプラント監視装置１では、複数の警報が出た場合に、プロセス入力処理部４により、それに対応する対応操作ＩＤを検索し、発生している警報の中で共通の対応操作ＩＤが多い警報から順に表示する。例えば、図１１の入力点情報テーブル５の中には、４つの警報メッセージが出ているが、この中で対応操作ＩＤでは“１”が共通しており、“１”の操作が最も重要として、警報メッセージを表示する。
【００３８】
実施の形態１０によれば、これにより、複数の警報メッセージが出た場合でも、共通の処理から処理されるため、警報状態を少ない操作で、警報メッセージを減らすことが可能となる。
【図面の簡単な説明】
【００３９】
【図１】この発明の実施の形態１によるプラント監視装置を示す構成図である。
【図２】この発明の実施の形態２によるプラント監視装置の警報メッセージ表示処理部の処理を示すフローチャートである。
【図３】この発明の実施の形態３によるプラント監視装置を示す構成図である。
【図４】この発明の実施の形態３によるプラント監視装置の警報メッセージ表示処理部の処理を示すフローチャートである。
【図５】この発明の実施の形態４によるプラント監視装置を示す構成図である。
【図６】この発明の実施の形態５によるプラント監視装置を示す構成図である。
【図７】この発明の実施の形態６によるプラント監視装置を示す構成図である。
【図８】この発明の実施の形態７によるプラント監視装置を示す構成図である。
【図９】この発明の実施の形態８によるプラント監視装置を示す構成図である。
【図１０】この発明の実施の形態９によるプラント監視装置を示す構成図である。
【図１１】この発明の実施の形態１０によるプラント監視装置を示す構成図である。
【符号の説明】
【００４０】
１  プラント監視装置
２  プロセス入力装置
３  表示装置
４  プロセス入力処理部
５  入力点情報テーブル
６  警報制限値テーブル
７  警報状態テーブル
８  警報メッセージデータ
９  警報メッセージ表示処理部
１０  対応操作実施通知処理部
１１  対応操作実施フラグ
１２  対応操作完了判定処理部
１３  対応操作完了条件テーブル
１４  操作ガイダンステーブル
１５  警報メッセージソート部
３０  操作ボタン
３１  ガイダンスボタン
【図１】
2005293421.tif 000003
【図２】
2005293421.tif 000004
【図３】
2005293421.tif 000005
【図４】
2005293421.tif 000006
【図５】
2005293421.tif 000007
【図６】
2005293421.tif 000008
【図７】
2005293421.tif 000009
【図８】
2005293421.tif 000010
【図９】
2005293421.tif 000011
【図１０】
2005293421.tif 000012
【図１１】
2005293421.tif 000013